(57)【要約】【課題】犯罪や事故の発生前の周囲状況を自動で記録し事件発生とは別の場所へ転送保管することによる、事件解決促進手段および防犯システムに関するものである。 【解決手段】誘拐、窃盗、暴行、傷害のような誰もが被害者になる可能性のある犯罪や、不慮の事故の発生に備え、それら事件の発生する以前の周囲画像もしくは動画を機器の移動を感知し自動で定期的もしくは連続して記録し、その記録データを事象発生とは異なる場所に転送し保管することにより、事件解決のためのデータとして活用するとともに、加害者がある場合には、加害者が記録されている可能性を認識すること犯罪防止効果を提供する。 【選択図】図１
2015102917.tif 000002
【特許請求の範囲】
【請求項１】
持ち運び可能な、撮影用カメラ、加速度センサーやジャイロセンサーなどの変位感知器、撮影コントロール装置、無線データ転送機器からなる撮影通信システムが、変位感知器にて変位を感知した際に、撮影用カメラにて、事前に設定した時間間隔での静止画撮影もしくは動画の撮影を開始し、その撮影データを無線データ転送機器により離れた場所にあるデータ保管用サーバーに転送し、データ保管用サーバーがデータを保存することを特徴とする防犯システム
【請求項２】
ＧＰＳを有し、撮影通信システムの位置が、あらかじめ設定した撮影不要エリアに来るまで撮影を継続し、あらかじめ設定した撮影不要エリアでは撮影およびデータ転送を行わないことを特徴とする請求項１の防犯システム
【請求項３】
ＧＰＳを有し、送信データに位置情報を追加することを特徴とする請求項１および請求項２の防犯システム
【請求項４】
マイクロフォンを有し、送信データに音声データを追加することを特徴とする請求項１および請求項２および請求項３の防犯システム
【請求項５】
一部の機能を携帯電話に含まれる装置を使い、本防犯システムを構築することを特徴とする請求項１および請求項２および請求項３および請求項４の防犯システム
【請求項６】
２台以上のカメラにて同時に撮影することにより、所有者による死角を排除した画像を撮影可能とすることを特徴とする請求項１および請求項２および請求項３および請求項４および請求項５の防犯システム
【発明の詳細な説明】
【技術分野】
【０００１】
この発明は、画像撮影とそのデータ転送およびデータ蓄積による携帯型防犯システムに関する。
【背景技術】
【０００２】
この分野における従来の技術はいくつか存在する。たとえば、携帯電話機にデジタルカメラと、ＧＰＳ等の自己位置決定手段とを備え、デジタルカメラで撮影した画像と、上記自己位置決定手段により得られた撮影時点での位置データと、一定時間の音声とを記録するメモリを設け、このメモリに記録されたデータを前記携帯電話機に内蔵したモデムで変調し、電話回線を通じて予め設定してある受信装置に送信するというシステムがある。（特許文献１）
【０００３】
また、利用者が、犯罪に巻き込まれそうな何らかの前触れを察知したときや、安全を確保したいときは、携帯端末装置について所定のデータ蓄積操作を行なう。携帯端末装置は、ＧＰＳ衛星による位置データを犯罪通報サーバーに蓄積させるとともに、携帯端末装置が集音した音声データ及び携帯端末装置が撮影した画像データを犯罪通報サーバーに蓄積させるというシステムがある。（特許文献２）
【０００４】
また、カメラ付き携帯電話を始めとする写真撮影機能及び写真データ送信機能を有する携帯端末機において、予め設定した時刻が来ると搭載のカメラが自動的に写真撮影を開始し、予め設定した秒間隔で撮影を繰り返し、撮影ごとに電話回線を通じて指定のサーバーに写真データを自動送信し、予め設定した時刻が来ると撮影とデータ送信を終了するというシステムがある。（特許文献３）
【先行技術文献】
【特許文献】
【０００５】
【特許文献１】特許公開平１１−４１６６９
【特許文献２】特許公開２００５−３２２００９
【特許文献３】特許公開２００７−２０７２１１
【発明の概要】
【発明が解決しようとする課題】
【０００６】
しかし、上記特許文献１に記載のシステムには、データ送信に操作が必要であるため、撮影後からデータ送信捜査の間にこの装置を略取もしくは破壊された場合、画像データ等を送信することができないという問題がある。
【０００７】
また、上記特許文献２に記載のシステムには、本人が前触れを感知し操作することが必要であり、使用者が前触れに気付かない犯罪や急襲による犯罪に対する対応が出来ない可能性があるという問題がある。
【０００８】
また、上記特許文献３に記載のシステムには、時間での設定のみであり、延長にも操作が必要という問題がある。また携帯端末に撮影機器が備えられているため、携帯端末での通話時にはカメラ撮影に対し本人の死角が出来てしまい記録できない部分が存在し、別に通話用の携帯端末を持つ場合には二重にコストがかかってしまうという問題がある。
本発明はこうした問題点を解決し、自動で事件前画像を安全な場所に保管し事件解決のためのデータとして活用するとともに、加害者がある場合には、加害者が記録されている可能性を認識すること犯罪防止効果を提供する、という要望にこたえるために発明されたものである。
【課題を解決するための手段】
【０００９】
本発明は持ち運び可能な、撮影用カメラ、ジャイロセンサーや加速度センサー等の変位検知装置、撮影コントロール装置、無線データ転送機器からなる撮影通信システム、およびネットワークに接続されたデータ保管用サーバーからなる防犯および捜査システムにおいて、撮影通信システムは変位を検知した場合、撮影コントロール装置により撮影用カメラにて自動撮影を開始し、無線通信により、撮影した画像データおよびＧＰＳを装備している場合にはその位置情報をデータ保管用サーバーに転送し、データ保管用サーバーは受信したデータを保管する。
使用者が犯罪に巻き込まれた場合、所有者や、親権者、警察がインターネット網に接続されたパソコンを使用し、データ保管用サーバーに保管されている画像を確認し、事件発生前時点を含む使用者の位置情報、周囲の環境や接近人物を確認することができ、事件解決に使用できる事を特徴とする。
また、この装置の周知により、犯罪を実行しようとする者が、自分が犯罪実行前に既に撮影されている可能性を認識することで、犯罪抑止の効果も期待できる。
【発明の効果】
【００１０】
本発明によれば、所有者の移動により、本システムは自動で画像撮影およびデータ転送を行い、事件発生前の使用者周辺画像を安全な場所に保管し事件解決のためのデータとして活用するとともに、加害者がある場合には、加害者が記録されている可能性を認識すること犯罪防止効果を提供することが可能となる。
【図面の簡単な説明】
【００１１】
【図１】ランドセルに装着した場合のカメラとコントロール装置の斜視図
【図２】実施例１における通信相関図
【図３】実施例２における通信相関図
【発明を実施するための形態】
【００１２】
右側面撮影用カメラ１、左側面撮影用カメラ２、右側面撮影用カメラ１および左側面撮影用カメラ２に接続され、カメラコントロール機能、電源、画像処理機能、一時記録機能、変位センサー、無線通信機能を含む撮影通信コントロールシステム３、通学用ランドセル４、データ保管用サーバー７からなる本防犯システム、および携帯電話無線送受信基地局６で構成される。
【実施例１】
【００１３】
使用者は、右側面撮影用カメラ１、左側面撮影用カメラ２、撮影通信コントロールシステム３を搭載した、通学用ランドセル４を背負う。その際通学用ランドセル４には加速度および角度に変化が発生するため、本防犯システムは移動を認知する。
撮影通信コントロールシステム３はカメラを制御し周囲の撮影および画像処理を行い、データを記録する。
撮影通信コントロールシステム３は無縁通信により携帯電話無線送受信基地局６およびインターネット網を通じて画像をデータ保管用サーバー７に送信する。データ保管用サーバー７はその画像を保管する。
使用者が何らかの犯罪にあった場合、本人やその親族または警察がインターネット網に接続されたパソコン８を使用し、データ保管用サーバー７に保管されている画像を確認する。
【実施例２】
【００１４】
使用者は、右側面撮影用カメラ１、左側面撮影用カメラ２、撮影通信コントロールシステム３を搭載した、通学用ランドセル４を背負う。その際通学用ランドセル４には加速度および角度に変化が発生するため、本防犯システムは移動を認知する。
撮影通信コントロールシステム３は、登録してある携帯電話５に短距離無線通信技術で接続し、携帯電話５は撮影通信コントロールシステム３を制御し撮影および画像の取得を行う。
携帯電話５は取得した画像を無縁通信により携帯電話無線送受信基地局６およびインターネット網を通じてデータをデータ保管用サーバー７に送信する。データ保管用サーバー７はその画像を保管する。
使用者が何らかの犯罪にあった場合、本人やその親族または警察がインターネット網に接続されたパソコン８を使用し、データ保管用サーバー７に保管されている画像を確認する。
【符号の説明】
【００１５】
１・・・右側面撮影用カメラ
２・・・左側面撮影用カメラ
３・・・撮影通信コントロールシステム
４・・・通学用ランドセル
５・・・携帯電話
６・・・携帯電話無線送受信基地局
７・・・データ保管用サーバー
８・・・パソコン
【図１】
2015102917.tif 000003
【図２】
2015102917.tif 000004
【図３】
2015102917.tif 000005